(57)【要約】【課題】開けた窓より侵入者が侵入しようとすると、それを検知して自動的に閉じてロックする防犯用の窓を提供する。【解決手段】サッシ枠４の下縁には、ボールネジ７を配置した筐５が添設され、ボールネジ７には窓枠２の縦枠部分２Ｂに取着のクランプ９に連結されるナット８が螺着される。開いた窓より侵入者が侵入しようとし、第１のセンサーがそれを検出すると、制御装置１６によりモータ６が起動し、ボールネジ７が回転してナット８を移動させ、窓を閉じると共に、ブザーより警報音が発生し、かつライトが点灯する。窓が閉じると、モータ６を起動し、ボールネジを回転させない限り閉じた窓が開くことはない。【選択図】図１
2013104174.tif 000002
【特許請求の範囲】
【請求項１】
サッシ枠のレール上に移動可能に支持され、レール上を進退して開閉する窓、或いはヒンジによって枢動可能に支持され、押し引きすることにより開閉する窓において、該窓を開閉させる作動機構と、窓の屋外側に設置され、窓からの侵入者を検知する第１のセンサーと、侵入者を検知した該第１のセンサーからの出力により窓を閉じるように前記作動機構を作動させる制御装置とからなることを特徴とする防犯用の窓。
【請求項２】
窓を閉じた状態でロックするロック機構を有し、前記制御装置は、作動機構を作動して窓を閉じたのち、ロック機構を制御して窓をロックすることを特徴とする請求項１記載の防犯用の窓。
【請求項３】
作動機構は、ボールネジと、該ボールネジを回転させるモータと、前記ボールネジに螺着されると共に、前記窓に連結されるナットよりなるボールネジ機構よりなることを特徴とする請求項１記載の防犯用の窓。
【請求項４】
前記制御装置は前記第１のセンサーからの出力により警報音の発生装置及び若しくはライトの点灯装置に出力させ、警報音及び若しくはライトを点灯させることを特徴とする請求項１ないし３記載の防犯用の窓。
【発明の詳細な説明】
【技術分野】
【０００１】
本発明は、防犯用の窓に関する。
【背景技術】
【０００２】
窓には、鋼ないしアルミサッシよりなるサッシ枠に取付けられるガラス戸よりなる窓がサッシ枠のレールに沿い移動して開閉する引き違いタイプのもの、窓が観音開き或いは片開きするタイプのものなどがあり、その開閉はいずれも人手によって行われているが、窓の開閉が自動的に行えるようにしたものも知られる。下記特許文献１に示されるものがそうで、サッシ枠のレール上に移動可能に支持され、レール上を進退して開閉する窓、或いはヒンジによって枢動可能に支持され、押し引きすることにより開閉する窓と、該窓を開閉させるギヤードモータ、ボールネジ機構、ピニオンラック機構、エアシリンダー等の作動機構と、該作動機構の起動停止を制御する制御装置とからなっている。
【先行技術文献】
【特許文献】
【０００３】
【特許文献１】特開平１１−６２３８１号
【発明の概要】
【発明が解決しようとする課題】
【０００４】
窓の開閉は、換気、採風、保温、風雨の遮断等のために行われるが、ときには窓を開けたままで就寝したり、窓を開けたまま閉め忘れて外出することがある。
【０００５】
本発明は、防犯上の観点から開けた窓より侵入者が侵入しようとすると、それを検知して自動的に閉じる防犯用の窓を提供することを目的とする。
【課題を解決するための手段】
【０００６】
請求項１に係る発明は、サッシ枠のレール上に移動可能に支持され、レール上を進退して開閉する窓、或いはヒンジによって枢動可能に支持され、押し引きすることにより開閉する窓において、該窓を開閉させる作動機構と、窓の屋外側に設置され、窓からの侵入者を検知する第１のセンサーと、侵入者を検知した該第１のセンサーからの出力により窓を閉じるように前記作動機構を作動させる制御装置とからなることを特徴とする。
【０００７】
請求項２に係る発明は、請求項１に係る発明において、窓を閉じた状態でロックするロック機構を有し、前記制御装置は、作動機構を作動して窓を閉じたのち、ロック機構を制御して窓をロックすることを特徴とする。
【０００８】
請求項３に係る発明は、請求項１に係る発明において、作動機構は、ボールネジと、該ボールネジを回転させるモータと、前記ボールネジに螺着されると共に、前記窓に連結されるナットよりなるボールネジ機構よりなることを特徴とする。
【０００９】
請求項４に係る発明は、請求項１ないし３に係る発明において、前記制御装置は前記第１のセンサーからの出力により警報音の発生装置及び若しくはライトの点灯装置に出力させ、警報音及び若しくはライトを点灯させることを特徴とする。
【発明の効果】
【００１０】
請求項１に係る発明によると、開いた窓より侵入者が侵入しようとすると、第１のセンサーがそれを検知して窓が自動的に閉まるようになり、就寝中、或いは家を留守にしていて窓が開いたままになっていても、開いた窓からの侵入者の侵入を防止し、防犯効果を挙げることができる。
【００１１】
請求項２に係る発明においては、窓が閉じると、ロックされ、窓が開かなくなって侵入者の侵入を防ぐことができる。
【００１２】
請求項３に係る発明においては、窓はモータを起動してボールネジを回転駆動させない限り開閉することはなく、したがってロック機構を別に設けなくても窓は閉じた状態でロック状態となり、侵入者の侵入を防ぐことができる。
【００１３】
請求項４に係る発明によると、開いた窓より侵入者が侵入しようとすると、窓が自動的に閉まると共に、警報音が発生したり、ライトが点灯し、防犯効果をより一層高めることができる。
【図面の簡単な説明】
【００１４】
【図１】本発明に係る防犯用窓の模式図。
【図２】図１のＡ−Ａ線での断面図。
【図３】クランプの別の例の正面図。
【図４】窓を閉じた状態に係止する係止レバーの正面図。
【図５】窓をロックするロック機構の部分断面正面図。
【発明を実施するための形態】
【００１５】
図１は、ガラス戸よりなる左右の窓１Ａ、１Ｂよりなり、各窓１Ａ、１Ｂはそれぞれ、鋼ないしアルミサッシよりなる矩形の窓枠２と、該窓枠２に嵌められる窓ガラス３より構成され、各窓１Ａ、１Ｂはそれぞれ図２に示すサッシ枠４のレール４Ａに移動可能に支持され、開閉可能となっている。サッシ枠４の下縁には、該下縁に沿って断面角パイプ状の上面を開口した筐５が固着され、該筐内にはモータ６により回転駆動されるボールネジ７が筐５の長手方向に沿って回転可能に軸支されている。そして前記前記ボールネジ７に螺着され、かつ筐５内にスライド可能であると共に、回転不可に装着されたナット８がボールネジ７の回転によりボールネジ７に沿って筐５内を進退するようになっており、前記モータ６、ボールネジ７及びナット８よりなるボールネジ機構が請求項１に係る発明の作動機構の１例を構成している。
【００１６】
なお、前記筐５はサッシ枠４とは別体をなしてサッシ枠４に添設されるようにしてもよいが、好ましくはボールネジ機構と共にサッシ枠４にビルトインして一体形成される。
【００１７】
前記ボールネジ７は長手方向の一半を左ネジ、他半を右ネジに構成し、ボールネジの一方向の回転により両窓１Ａ、１Ｂが閉じ、ボールネジの逆方向の回転により両窓１Ａ、１Ｂが開くように構成するのが望ましい。
【００１８】
ボールネジ機構よりなる前記作動機構の別の例としては、ピニオンラック機構、エアシリンダー等の往復直線運動機構を例示することができる。
【００１９】
ボールネジ機構を構成する前記ナット８は、窓１Ｂの窓枠２を構成する上下の横枠部分と、左右の縦枠部分のうち、一方の縦枠部分（図１においては、左右の窓を閉じたとき、互いに重なり合う側の縦枠部分２Ｂを示しているが、図示しない別の一側の縦枠部分であってもよい）を手動操作で左右より挟み込むことにより着脱可能に固定されるクランプ９とロッド１１（図２）により連結され、前記ナット８がボールネジ７の回転によりボールネジ７に沿って進退すると、窓１Ｂが左右に移動して開閉するようになっている。
【００２０】
図示するクランプ９は前記縦枠部分２Ｂを挟み込む一対のプレート９ａと、両プレート９ａを連結するボルト９ｂの突出端に捩じ込まれるナット９ｃよりなっているが、クランプ９は図示する構造に限定されるものではない。
【００２１】
図３はクランプ１３の別の例を示すもので、一対のプレート１４のうち、一方のプレートは図示していないが、前記ナット８に固定され、他方のプレートは前記一方のプレート１４より突設されるロッド１５にスライド可能に取付けられている。そして他方のプレート１４とロッド頭部１５ａとの間のロッド１５にはコイルバネ１６が装着され、コイルバネ１６の作用に抗してプレート１４間の間隔を拡げた状態で、前記縦枠部分２Ｂに嵌着したのちは、コイルバネ１６の作用によりプレート１４が前記縦枠部分２Ｂを挟着してクランプできるようになっている。図３に示すクランプ１３を用いれば、前記縦枠部分２Ｂへの着脱を簡易に行うことができる。
【００２２】
窓の屋外には、図示していないが、窓からの侵入者を検知する第１のセンサーが設けられている。この第１のセンサーは既知のもので、例えば赤外線の発光部と受光部よりなり、受光部への赤外線の受光が遮断されると、出力するタイプのもの、侵入者の踏み込みよる圧力上昇を検知する感圧センサー、侵入者の体温を検知する赤外線センサー等を用いることができる。
【００２３】
前記ボールネジ機構のモータ６の起動停止を制御する制御装置１６は、前記第１のセンサーからの出力信号によりモータ６を起動し、ボールネジ７を回転駆動して窓を開閉できるようになっている。
【００２４】
前記第１のセンサーの出力によって制御装置１６はまた、よく知られた構造の警報音発生装置のブザー及びライトの点灯装置に出力し、警報音を発生させると共に、ライトを点灯させるようになっている。
【００２５】
前記窓１Ａは、図４に示すように窓枠２の左右の縦枠部分のうち、一側（図１において左側）の縦枠部分に手動操作により係脱可能に係止する係止レバー１８によって開くのが拘束されるようになっている。この係止レバー１８は、一側が操作部１８ａになっていて、サッシ枠４、筐５又はサッシ枠５が取付けられる図示しない木枠等に起倒可能に軸支され、操作部１８ａの操作により係止レバー１８を図の実線位置に倒すと、係止レバー先端が窓枠３の縦枠部分２Ｂに係止して窓１Ａが開くのを拘束できるようになっており、係止レバー１８を図４の一点鎖線で示すように起すと、係止レバー先端が窓１Ａの縦枠部分２Ｂより離間して窓１Ａの拘束を解除し、窓１が自由に開閉できるようになっている。
【００２６】
窓１Ａが開かないようにする構成としては、以上のほか、例えば図５に示すように窓枠２の適所に横向きのスリット２１を備えた突片２２を側方に突出して設けると共に、中間部を例えばサッシ枠１或は該サッシ枠１が取付けられる木枠に回動可能に軸着したベルクランク状のロックレバー２３と、前記制御装置１６により制御されるソレノイド２４を設け、該ソレノイド２４の励磁により図５の一点鎖線に示すように突出するピン２５がロックレバー２３の一側を押し込んで、ロックレバー他端部を前記スリット２１に乾挿させ、これにより窓１Ａをロックする機構を用いることができる。
【００２７】
本実施形態の窓によると、開いた窓１Ｂより侵入者が侵入しようとし、これを第１のセンサーが検知すると、制御装置１６がモータ６を起動し、窓を閉じると共に、ブザーにより警報音を発生させ、かつライトを点灯させる。
【００２８】
窓１Ｂはモータ６を起動してボールネジ７を回転駆動する以外、窓１Ｂを押し引きして直接開閉することはできないため、窓１Ｂが閉じると、外部から窓１Ｂを開くことはできず、窓１Ｂを壊す以外、窓からの侵入は阻止される。なお窓１Ｂを閉じたのちのモータ６の駆動停止は、窓を閉じたときのセンサーからの出力により、或いはモータ６の出力がしきい値を越えたとき、制御装置１６からの出力により行われる。
【００２９】
以上は、窓１Ｂを開閉する作動機構としてボールネジ機構を使用した例を示したが、窓１Ｂを開閉可能で、窓を閉じたのちでも開くことができ機構、例えばピニオンラック機構を用いる場合には、窓１Ｂを閉じたのちに、侵入者が窓を開くことができないようにするロック機構を設けることが望まれる。このロック機構としては、例えば図４に示すような係止レバー１８の起倒をソレノイドやエアシリンダー、その他のアクチュエイターによって行う機構や、図５に示すようなロック機構を用いることができる。
【００３０】
前記ロック機構による窓１Ｂのロックは、窓１Ｂを閉じたのちに行われ、そのため窓１Ｂを閉じたとき、これを検出する第２のセンサー、例えばタッチセンサーを設け、該第２のセンサーからの出力により前記制御装置１６が前記ソレノイドその他のアクチュエイターを作動させるようにする。
【００３１】
前述の実施形態は、本発明を両窓１Ａ、１Ｂが共にスライドして開閉する引き違いタイプの窓に適用した例を示すものであるが、開閉する窓が一つのものや、窓が押し引きにより観音開きするタイプのもの、１つの窓よりなって押し引きにより開閉するタイプのもの等に適用することもできる。
【符号の説明】
【００３２】
１Ａ、１Ｂ・・窓
２・・窓枠
２Ａ、２Ｂ・・縦枠部分
３・・窓ガラス
４・・サッシ枠
５・・筐
６・・モータ
７・・ボールネジ
８・・ナット
９、１３・・クランプ
１６・・制御装置
１８・・係止レバー
２１・・スリット
２２・・突片
２３・・ロックレバー
２４・・ソレノイド
【図１】
2013104174.tif 000003
【図２】
2013104174.tif 000004
【図３】
2013104174.tif 000005
【図４】
2013104174.tif 000006
【図５】
2013104174.tif 000007